【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
遊技の制御を行う遊技制御手段と、
前記遊技制御手段から送信された制御情報に基づいて演出の制御を行う演出制御手段と、
遊技者による操作が不能とされ、遊技場の店員による操作が可能とされた特定操作手段と、を備え、
前記遊技制御手段と、前記演出制御手段と、は前記遊技制御手段から前記演出制御手段への一方向通信のみ可能に接続されており、
前記演出制御手段は、
異常報知条件の成立で異常報知フラグを設定する設定手段と、
前記異常報知フラグが設定されているときに異常報知を実行する異常報知実行手段と、
異常報知解除条件の成立で前記異常報知フラグを初期化する異常報知フラグ初期化手段と、を含み、
前記遊技制御手段は、前記特定操作手段が操作されたときに、該特定操作手段が操作された旨を特定可能な特定制御情報を前記制御情報として前記演出制御手段に送信する特定制御情報送信手段を含み、
前記異常報知の実行中に電力供給が停止しても電力供給の再開後に前記異常報知が再開され、
前記異常報知解除条件は、前記遊技制御手段から前記特定制御情報を受信することを少なくとも含む条件であり、
前記異常報知の実行中は遊技の進行に関わる報知が行われない
ことを特徴とするスロットマシン。
【手続補正２】
【補正対象書類名】明細書
【補正対象項目名】０００８
【補正方法】変更
【補正の内容】
【０００８】
上記課題を解決するために、本発明の請求項１に記載のスロットマシンは、
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
遊技の制御を行う遊技制御手段と、
前記遊技制御手段から送信された制御情報に基づいて演出の制御を行う演出制御手段と、
遊技者による操作が不能とされ、遊技場の店員による操作が可能とされた特定操作手段と、を備え、
前記遊技制御手段と、前記演出制御手段と、は前記遊技制御手段から前記演出制御手段への一方向通信のみ可能に接続されており、
前記演出制御手段は、
異常報知条件の成立で異常報知フラグを設定する設定手段と、
前記異常報知フラグが設定されているときに異常報知を実行する異常報知実行手段と、
異常報知解除条件の成立で前記異常報知フラグを初期化する異常報知フラグ初期化手段と、を含み、
前記遊技制御手段は、前記特定操作手段が操作されたときに、該特定操作手段が操作された旨を特定可能な特定制御情報を前記制御情報として前記演出制御手段に送信する特定制御情報送信手段を含み、
前記異常報知の実行中に電力供給が停止しても電力供給の再開後に前記異常報知が再開され、
前記異常報知解除条件は、前記遊技制御手段から前記特定制御情報を受信することを少なくとも含む条件であり、
前記異常報知の実行中は遊技の進行に関わる報知が行われないことを特徴としている。
また、遊技用価値を用いて１ゲームに対して所定数の賭数を設定することによりゲームが開始可能となるとともに、各々が識別可能な複数種類の図柄を変動表示可能な可変表示装置（リール２Ｌ、２Ｃ、２Ｒ）に表示結果が導出されることにより１ゲームが終了し、該可変表示装置に導出された表示結果に応じて入賞が発生可能とされたスロットマシン（スロットマシン１）であって、
遊技の制御を行う遊技制御基板（遊技制御基板４０）と、
前記遊技制御基板（遊技制御基板４０）から送信された制御情報（コマンド）に基づいて演出の制御を行う演出制御基板（第１演出制御基板９０）と、
遊技者による操作が不能とされ、遊技場の店員による操作が可能とされた特定操作手段（設定キースイッチ３７、リセット／設定スイッチ３８、電源スイッチ３９）と、
前記遊技制御基板（遊技制御基板４０）を収納する基板ケース（基板ケース２００）と、
痕跡を残さずに開封することができないように前記基板ケース（基板ケース２００）を封止する封止手段（封印シール４００等）と、
を備え、
前記遊技制御基板（遊技制御基板４０）と、前記演出制御基板（第１演出制御基板９０）と、
は前記遊技制御基板（遊技制御基板４０）から前記演出制御基板（第１演出制御基板９０）への一方向通信のみ可能に接続されており、
前記演出制御基板（第１演出制御基板９０）は、
遊技者にとって有利な情報を報知する有利報知（ナビ演出）を実行する有利報知実行手段（ＡＲＴに伴うナビ演出の実行制御）と、
前記有利報知（ナビ演出）に関連する有利報知関連異常（サブエラー）を検知する異常検知手段（異常診断処理）と、
前記異常検知手段が前記有利報知関連異常（サブエラー）を検知したときに、有利報知関連異常報知（サブエラー報知）を実行する有利報知関連異常報知実行手段（第１演出制御基板９０がサブエラーフラグを設定し（Ｓｐ５）、サブエラー報知パターンを設定する（Ｓｐ２７）ことによりサブエラー報知を実行する制御）と、
前記有利報知関連異常報知（サブエラー報知）を停止させる有利報知関連異常報知停止手段（第１演出制御基板９０がサブエラーフラグ及びサブエラー報知パターンをクリアする（Ｓｓ７）ことによりサブエラー報知を停止させる制御）と、
を含み、
前記遊技制御基板（遊技制御基板４０）は、遊技状態を変更するための操作態様（設定キースイッチ３７：ｏｎの状態での電源投入）とは異なる所定操作態様（リセット／設定スイッチ３８：ｏｎの状態での電源投入）で前記特定操作手段（設定キースイッチ３７、リセット／設定スイッチ３８、電源スイッチ３９）が操作されたときに、該所定操作態様で前記特定操作手段が操作された旨を特定可能な特定制御情報（エラー解除コマンド）を前記制御情報（コマンド）として前記演出制御基板（第１演出制御基板９０）に送信する特定制御情報送信手段を含み、
少なくとも前記演出制御基板（第１演出制御基板９０）で前記有利報知に関連する有利量を制御する部分は、前記遊技制御基板（遊技制御基板４０）とともに前記基板ケース（基板ケース２００）に収納され、
前記有利報知関連異常報知停止手段は、前記演出制御基板（第１演出制御基板９０）側のみで成立する条件が成立するだけでは、前記有利報知関連異常報知（サブエラー報知）を停止せず、前記遊技制御基板（遊技制御基板４０）から前記特定制御情報（サブエラー解除コマンド）を受信することを少なくとも含む特定条件（エラー解除コマンドの受信）が成立したときに、前記有利報知関連異常報知（サブエラー報知）を停止させ、
少なくとも前記演出制御基板（第１演出制御基板９０）に実装された前記有利報知に関連する有利度を制御する部品（第１サブ制御部９１を構成する部品）を前記遊技制御基板（遊技制御基板４０）とともに前記基板ケースに収納した
ことを特徴としている。
この特徴によれば、有利報知に関連する有利報知関連異常が検知されたときに、有利報知関連異常報知が実行されるとともに、演出制御基板側のみで成立する条件が成立するだけでは、当該有利報知関連異常報知を停止させることができず、遊技者による操作が不能とされ、遊技場の店員による操作が可能とされた特定操作手段を操作することにより遊技制御基板から送信される特定制御情報を受信することを少なくとも含む特定条件が成立することで有利報知関連異常報知を停止させることができるようになっており、有利報知に関連する不正がなされた結果、有利報知関連異常報知が実行された場合には、遊技者による操作が不能な特定操作手段を操作することを要し、簡単に有利報知関連異常報知を停止させることができないことから、有利報知に関連する不正を効果的に防止することができる。また、有利報知関連異常報知を停止させるための操作として、遊技状態を変更する際に用いる特定操作手段を用いるが、有利報知関連異常報知を停止させる場合の所定操作態様が、遊技状態を変更するための操作態様とは異なるため、遊技制御基板側の遊技状態を変更することなく、特定操作手段を利用して有利報知関連異常報知を停止させることができる。また、少なくとも演出制御基板で前記有利報知に関連する有利量を制御する部分が遊技制御基板とともに基板ケースに収納され、かつ基板ケースが痕跡を残さずに開封不能となるように封止手段により封止されるため、演出制御基板に対して不正な制御情報を受信させることによる不正を行うことが困難となるうえに、開封されてもその痕跡が残ることで不正がされた可能性を早期に発見することができる。